(57)【要約】【課題】  印刷媒体のサイズ、印刷出力サイズ、を指定することにより、最終的な印刷出力サイズを指定してのポスター印刷が自動的に実行できること。【解決手段】  画像入力部３１は、印刷を行う画像を入力し、印刷媒体サイズ指定部３３は、印刷出力サイズを指定し、画像変換部３７は、画像入力部３１からの入力画像を印刷出力サイズに変換し、分割処理計算部３５は、上記印刷出力サイズと上記印刷媒体サイズとに基づいて、上記印刷出力サイズ平面の分割情報を計算し、分割印刷データ生成部３９は、画像変換部３７による変換画像と、分割処理計算部３５による計算結果とに基づいて、上記変換画像の分割印刷データを生成する。【選択図】図１
2008210046.tif 000002
【特許請求の範囲】
【請求項１】
印刷を行う画像を入力する画像入力部と、
印刷出力サイズを指定する印刷出力サイズ指定部と、
印刷に用いる印刷媒体のサイズを指定する印刷媒体サイズ指定部と、
前記画像入力部から受け入れる入力画像を前記印刷出力サイズに変換する画像変換部と、
前記印刷出力サイズと前記印刷媒体サイズとに基づいて、前記印刷出力サイズ平面の分割情報を計算する分割処理計算部と、
前記画像変換部による変換画像と、前記分割処理計算部の計算結果に基づいて、前記変換画像の分割印刷データを生成する分割印刷データ生成部とを有することを特徴とする印刷制御装置。
【請求項２】
前記分割情報を報知し、前記分割情報の補正指示を受け入れる分割情報報知部と、
前記分割情報の補正を行う分割情報補正部とを更に備え、
前記分割情報補正部は、
前記分割情報報知部による前記分割情報の補正指示を受け入れると補正を行い、
前記分割印刷データ生成部が、前記画像変換部による変換画像、及び前記分割情報補正部による補正後の分割情報に基づいて、前記変換画像の分割印刷データを生成することを特徴とする請求項１に記載の印刷制御装置。
【請求項３】
前記画像変換部による入力画像の変換結果に基づいて、イメージの印刷品質低下発生を予測する判定部と、
前記イメージの印刷品質低下発生の予測を報知する報知部と、
前記報知部による報知結果に基づいて印刷実行可否の指示を受け入れる指示入力部とを更に備え、
前記分割印刷データ生成部は、
前記指示入力部が受け入れる前記印刷実行可否の指示に基づいて前記変換画像の分割印刷データを生成することを特徴とする請求項１または請求項２に記載の印刷制御装置。
【請求項４】
前記指示入力部が受け入れる前記印刷実行可の指示は、前記分割印刷データ生成部による前記変換画像の分割印刷データ生成の必須条件であることを特徴とする請求項３に記載の印刷制御装置。
【請求項５】
前記分割処理計算部により計算される分割情報は、縦横の分割数、各印刷媒体に設ける糊代の位置と幅、及び印刷出力サイズ平面内における各印刷媒体の位置を示す情報を含むことを特徴とする請求項１から請求項４までの何れか一項に記載の印刷制御装置。
【発明の詳細な説明】
【技術分野】
【０００１】
本発明は、分割印刷を行なうための印刷制御装置に関するものである。
【背景技術】
【０００２】
従来、プリンタ、複写機、ファクシミリ装置、スキャナ装置、又は、プリンタ部とスキャナ部を備える複合機などの画像形成装置において、使用する記録紙のサイズより大きいサイズの文字情報や画像情報を複数枚の記録紙に分割して印刷する、ポスター印刷と呼ばれる技術がある。その複数枚の記録紙を貼り合わせる際に、隙間などを発生させることなく、且つ容易に貼り合わせのできる画像形成装置の技術が開示されている（特許文献１参照）。
【特許文献１】特開平０６−１５５８４８号公報
【発明の開示】
【発明が解決しようとする課題】
【０００３】
しかしながら、上記従来の技術では、ユーザの求める出力画像のサイズに応じて、文字情報や画像情報、及び貼り合わせのための糊代の幅等を自動的に拡大縮小することが出来ないという解決すべき課題が残されていた。
【課題を解決するための手段】
【０００４】
本発明は、印刷制御装置であって、印刷を行う画像を入力する画像入力部と、印刷出力サイズを指定する印刷出力サイズ指定部と、印刷に用いる印刷媒体がサイズを指定する印刷媒体サイズ指定部と、上記画像入力部から受け入れる入力画像を上記印刷出力サイズに変換する画像変換部と、上記印刷出力サイズと上記印刷媒体サイズとに基づいて、上記印刷出力サイズ平面の分割情報を計算する分割処理計算部と、上記画像変換部による変換画像と、上記分割処理計算部の計算結果に基づいて、上記変換画像の分割印刷データを生成する分割印刷データ生成部とを有することを主要な特徴とする。
【発明の効果】
【０００５】
本発明による印刷制御装置は、指定される印刷出力サイズ及び印刷媒体サイズとに基づいて、印刷出力サイズ平面の分割情報を計算する分割情報計算部と、該分割情報計算部による計算結果に基づいて分割印刷データを生成する分割印刷データ生成部とを有するので、印刷媒体のサイズ、印刷出力サイズ、を指定することにより、最終的な印刷出力サイズを指定してのポスター印刷が自動的に実行できるという効果を得る。
【発明を実施するための最良の形態】
【０００６】
以下、本発明の一実施形態を図を用いて詳細に説明する。
【実施例１】
【０００７】
〈構成〉の説明
図１は、実施例１の印刷制御装置の構成のブロック図である。
図に示すように実施例１の印刷制御装置としての情報処理装置３０は、ＣＰＵ３０１、主記憶装置３０２、ハードディスク装置３０３、入力装置Ｉ／Ｆ３０４、ディスプレイＩ／Ｆ３０５、プリンタＩ／Ｆ３０６、とが相互に共通バス３０７に接続されて構成される。
【０００８】
ＣＰＵ３０１は、ハードディスク装置３０３に予めインストールされている所定の制御プログラムを実行することによって本発明に係る機能を起動・生成させるマイクロプロセッサである。
【０００９】
主記憶装置３０２は、その内部にパラメータ格納部３４と、分割情報格納部３６と、変換画像格納部３８とを有し、本発明に係る機能を実現するために必要なメモリである。
【００１０】
ハードディスク装置３０３は、上記のようにＣＰＵ３０１が所定の制御プログラムを実行することによって、画像入力部３１と、印刷出力サイズ指定部３２と、印刷媒体サイズ指定部３３と、分割処理計算部３５と、画像変換部３７と、分割印刷データ生成部３９と、送信部４０とを起動・生成させる制御プログラムを予め格納するハードディスクである。
【００１１】
入力装置Ｉ／Ｆ３０４は、マウス３０４ａ、及びキーボード３０４ｂなどが接続され、装置と操作者との間でマンマシンインタフェース（情報受け入れ）の役割を果たす部分である。即ち、操作者の入力する情報を受け入れる部分である。
【００１２】
ディスプレイＩ／Ｆ３０５は、ディスプレイ３０５ａが接続され、装置とユーザとの間でマンマシンインタフェース（情報通知）の役割を果たす部分である。即ち、装置内部の情報を操作者に通知する部分である。
【００１３】
プリンタＩ／Ｆ３０６は、プリンタ１００が接続され、装置とプリンタ１００との間で所定のプロトコル変換を実行し、データ信号の送受信を行う部分である。
【００１４】
次に上記構成による情報処理装置の機能について、詳細に説明する。
図２は、実施例１のプリンタドライバの機能ブロック図である。
図に示すように、実施例１のプリンタドライバ４００は、ハードディスク装置３０３（図１）内に格納されたプログラムが読み出され、ＣＰＵ３０１（図１）で実行されることにより起動・生成（実現）される、画像入力部３１、印刷出力サイズ指定部３２、印刷媒体サイズ指定部３３、分割処理計算部３５、画像変換部３７、分割印刷データ生成部３９、及び送信部４０と、更に、主記憶装置３０２(図１)に設けられているパラメータ格納部３４、分割情報格納部３６、及び変換画像格納部３８とで構成される。
【００１５】
画像入力部３１は、ポスター印刷を行う画像データを入力する部分である。
【００１６】
印刷出力サイズ指定部３２は、印刷媒体を貼り合わせてできる最終出力サイズ（幅ＷＷ、高さＨＨの値）を指定する部分である。指定の方法は、幅または高さの一方のみを指定するか、幅および高さの両方を指定するかのいずれでもよい。例えば、「幅９０ｃｍ」、「幅１２０ｃｍ、高さ８０ｃｍ」、のように指定する。
【００１７】
印刷媒体サイズ指定部３３は、プリンタ１００が給紙して印刷に用いる媒体のサイズを指定する部分である。例えば、「Ａ４横」、「Ｂ５縦」、のように指定する。または、フリーサイズを指定する場合は、「幅１９０ｍｍ、高さ２４０ｍｍ」、と幅および高さを指定する。
【００１８】
分割処理計算部３５は、パラメータ格納部３４に格納されている値と、入力画像のサイズ情報とに基づいて、分割の仕方、すなわち、印刷出力サイズ平面内に印刷媒体をどのように配置して分割印刷を行うかの分割情報を決定する部分である。
【００１９】
画像変換部３７は、パラメータ格納部３４に格納されている印刷出力サイズ（ＷＷ、ＨＨの値）と、入力画像のサイズとから決まる倍率で、入力画像を拡大変換または縮小変換する処理を行ない、変換後の画像を変換画像格納部３８に格納する部分である。
【００２０】
分割印刷データ生成部３９は、分割情報格納部３６に格納されている分割情報に従って、変換画像格納部３８に格納されている画像から分割印刷するための印刷データを生成する部分である。
【００２１】
送信部４０は、分割印刷データ生成部３９の生成した分割印刷データをプリンタＩ／Ｆ３０６を介してプリンタ１００へ送信する部分である。
【００２２】
パラメータ格納部３４は、ポスター印刷を実行するのに必要なパラメータを予め格納しておくと共に、印刷出力サイズ指定部３２および印刷媒体サイズ指定部３３で指定されたパラメータを格納する部分である。分割情報格納部３６は、分割処理計算部３５での印刷結果を格納する部分である。変換画像格納部３８は、画像変換部３７が入力画像を拡大変換または縮小変換した結果を格納する部分である。
【００２３】
〈動作〉の説明
以上説明した実施例１の印刷制御装置は以下のように動作する。
動作説明に先立って、その説明中で必要になる事項について予め説明する。
【００２４】
図３は、パラメータ入力画面の説明図である。
印刷出力サイズ指定部３２（図２）および印刷媒体サイズ指定部３３（図２）は、図に示すようなＵＩ画面をディスプレイ３０５ａ（図１）に表示し、印刷出力サイズおよび媒体サイズをユーザに指定させる。媒体サイズの指定は、リスト１２１の中から定型サイズ用紙を選ばせるか、またはリスト１２１内の項目“自由サイズ”を選択させてから、１２２、１２３に幅と高さを入力させる。印刷出力サイズは、１２４、１２５に幅と高さが入力されることによって指定される。ユーザがＯＫボタン１２６を押すと、指定した印刷出力サイズおよび媒体サイズが、パラメータ格納部３４（図２）に格納される。
【００２５】
図４は、パラメータ格納部の説明図である。
図に示すように、パラメータ格納部３４（図２）は、定数格納エリア３４（ａ）、印刷媒体サイズ格納エリア３４（ｂ）、印刷出力サイズ格納エリア３４（ｃ）、の３つのサブエリアに分けられ、定数格納エリア３４（ａ）には、Ａ４、Ｂ５等の定型用紙のサイズ情報を格納するテーブルと、プリンタ１００の物理オフセット値、すなわち印刷媒体の上下端及び左右端に発生する印刷できない余白領域の幅を格納するテーブルが記憶されている。
【００２６】
印刷媒体サイズ格納エリア３４（ｂ）には、印刷媒体サイズ指定部３３で指定された印刷媒体のサイズを格納する。尚、定数格納エリア３４（ａ）の定型用紙サイズ情報テーブルには、用紙を縦向きにした場合の幅と高さを格納しておき、印刷媒体サイズ指定部３３で「Ａ４縦」と指定された場合には、印刷媒体サイズ格納エリア３４（ｂ）にｐｗ＝２１０、ｐｈ＝２９７と格納し、印刷媒体サイズ指定部３３で「Ａ４横」と指定された場合には、ｐｗ＝２９７、ｐｈ＝２１０と格納する。
【００２７】
印刷出力サイズ格納エリア３４（ｃ）には、印刷出力サイズ指定部３２で指定された出力サイズを指定する。尚、幅または高さのいずれかの指定が省略された場合は、値−１を格納する。例えば、「幅９０ｃｍ」として幅のみが指定された場合は、ＷＷ＝９００、ＨＨ＝−１と格納する。
【００２８】
図５は、分割情報格納部の説明図である。
図６は、分割情報の説明図（その１）である。
図７は、分割情報の説明図（その２）である。
図５は、分割処理計算部３５（図２）での計算の結果、図６に示す分割情報が取得されたとした場合の内容を表している。
【００２９】
図６（ａ）は、幅ｐｗ、高さｐｈの媒体を、横方向および縦方向にそれぞれｍｘ、ｍｙの糊代幅を設けて３行３列の合計９枚を並べて重ね合わせる状況を示している。列方向の媒体数Ｘ＝３、行方向の媒体数Ｙ＝３、およびｍｘ、ｍｙは、分割処理計算部３５での計算の結果求められる値である。媒体内の斜線が施された部分以外の領域は、貼り合わせのための糊代領域を示し、該糊代領域で各媒体を貼り合わせた結果、図６（ｂ）のように、幅ＷＷ、高さＨＨの印刷物が出来上がるように、Ｘ、Ｙ、ｍｘ、ｍｙは求められる。
【００３０】
尚、図６は、プリンタ１００の水平方向および垂直方向物理オフセット値ｏｘ  ｍｍ、ｏｙ  ｍｍが共に０である場合を示した図であるが、ｏｘ、ｏｙが０でない場合は、図７に示すように、媒体の周囲に印刷不能領域（影付きで示した部分）が発生する状況となる。この場合は、該印刷不能領域を切り落としたうえで、各媒体を貼り合わせることになる。
【００３１】
図５に示すように、分割情報格納部３６（図２）は、Ｘ、Ｙの値を格納すると共に、列方向および行方向の分割情報を、列方向分割情報テーブル３６ａおよび行方向分割情報テーブル３６ｂに格納する。列方向分割情報テーブル３６ａの第１レコードには、分割マップの１列目（＝媒体［１］、［４］、［７］が該当）についての分割情報として、左余白、印刷領域、右余白、の長さをそれぞれ格納する。第２レコード（＝媒体［２］、［５］、［８］）、第３レコード（＝媒体［３］、［６］、［９］）についても同様である。また、行方向分割情報テーブル３６bの各レコードには、分割マップの１行目（＝媒体［１］、［２］、［３］）、２行目（＝媒体［４］、［５］、［６］）、３行目（＝媒体［７］、［８］、［９］）についての分割情報として、上余白、印刷領域、下余白、の長さをそれぞれ格納する。
【００３２】
以下に実施例１の印刷制御装置の動作についてフローチャートを用いて説明する。
図８は、実施例１のプリンタドライバの動作を説明するフローチャートである。
図のステップＳ８０１からステップＳ８０６までステップ順にプリンタドライバ４００（図２）の全体動作について説明する。
【００３３】
ステップＳ８０１
画像入力部３１（図２）は、分割印刷を行う画像を入力する。
【００３４】
ステップＳ８０２
印刷出力サイズ指定部３２（図２）により、印刷出力サイズを指定する。これにより、パラメータ格納部３４（図２）の印刷出力サイズ格納エリア３４（ｃ）（図４）に、幅ＷＷ、高さＨＨが格納される。
【００３５】
ステップＳ８０３
印刷媒体サイズ指定部３３（図２）により、媒体のサイズを指定する。これにより、パラメータ格納部３４（図２）の印刷媒体サイズ格納エリア３４（ｂ）（図４）に、幅ｐｗ、高さｐｈが格納される。
【００３６】
ステップＳ８０４
分割処理計算部３５（図２）により、分割印刷を行うための分割情報を計算する。計算された分割情報は、分割情報格納部３６（図２）に格納される。このフローについては、別のフローチャートを用いて、後に再度詳細に説明する。
【００３７】
ステップＳ８０５
画像変換部３７（図２）により、入力画像をスケール（拡大・縮小）する。スケールされた画像は、変換画像格納部３８（図２）に格納される。
【００３８】
ステップＳ８０６
分割印刷データ生成部３９は、分割印刷データを生成し、送信部４０を介してプリンタ１００へ送出してフローを終了する。
【００３９】
図９は、実施例１の分割処理計算部の動作を説明するフローチャートである。
図のステップＳ９０１からステップＳ９１２までステップ順に分割処理計算部３５（図２）の動作について説明する。尚、この動作は、上記図８のステップＳ８０４に該当し、図５に示す列方向分割情報テーブル３６ａ、及び行方向分割情報テーブル３６ｂの値を算出するフローチャートである。
【００４０】
ここでは動作説明の前提として、画像入力部３１（図２）から入力された入力画像のサイズを、幅ｗ  ｍｍ、高さｈ  ｍｍとする。また、プリンタ１００（図１）の物理オフセット値を、ｏｘ  ｍｍ、ｏｙ  ｍｍとする。尚、ｍｍ座標とピクセル座標を相互変換するには、プリンタ１００の水平方向および垂直方向の解像度（１インチあたりのピクセル数）をＤＰＩＸ、ＤＰＩＹとした場合、次の式で計算されるスケール値を用いて行うことが出来る。
ｓｃＸ＝２５．４／ＤＰＩＸ
ｓｃＹ＝２５．４／ＤＰＩＹ
【００４１】
ステップＳ９０１
分割処理計算部３５（図２）は、パラメータ格納部３４の印刷出力サイズ格納エリア３４（ｃ）（図４）を参照し、ＷＷ＝−１であるかどうかを調べる。そうであれば（Ｙ）、ステップＳ９０２に進む。そうでなければ（Ｎ）、ステップＳ９０３に進む。
【００４２】
ステップＳ９０２
分割処理計算部３５（図２）は、ＷＷ＝ｗ＊  （ＨＨ／ｈ）として、印刷出力サイズ格納エリア３４（ｃ）（図２）に格納する。
【００４３】
ステップＳ９０３
分割処理計算部３５（図２）は、パラメータ格納部３４の印刷出力サイズ格納エリア３４（ｃ）（図４）を参照して、ＨＨ＝−１であるかどうかを調べる。そうであれば（Ｙ）、ステップＳ９０４に進む。そうでなければ（Ｎ）、ステップＳ９０５に進む。
【００４４】
ステップＳ９０４
分割処理計算部３５（図２）は、ＨＨ＝ｈ＊  （ＨＨ／ｗ）として、印刷出力サイズ格納エリア３４（ｃ）（図４）に格納する。
【００４５】
ステップＳ９０５
分割処理計算部３５（図２）は、ＷＷ＝ｐｗ−２＊ｏｘであるかどうか調べる。そうであれば（Ｙ）、Ｓ９０６に進む。そうでなければ（Ｎ）、Ｓ９０７に進む。
【００４６】
ステップＳ９０６
分割処理計算部３５（図２）は、Ｘ＝１、ｍｘ＝０として、Ｓ９０８に進む。
【００４７】
ステップＳ９０７
分割処理計算部３５（図２）は、次の（式Ａ）をもとに、Ｘおよびｍｘを求める。
ｆ（Ｘ）＝ｐｗ−ｏｘ−（ＷＷ−（ｐｗ−２＊ｏｘ））／（Ｘ−１）…（式Ａ）
ここで、計算方法は、上式にＸ＝２、３、４、５…と順次値を代入して、ｏｘ以上のｆ（Ｘ）が計算される最小のＸの値を特定し、そのときのｆ（Ｘ）の値をｍｘとする。
【００４８】
ステップＳ９０８
分割処理計算部３５（図２）は、求められたＸ、ｍｘをもとに、列方向分割情報テーブル３６ａ（図５）を作成する。作成方法は、Ｘ番目のレコードを、（左余白＝ｏｘ、印刷領域＝ｐｗ−２＊ｏｘ、右余白＝ｏｘ）とし、１番目〜（Ｘ−１）番目のレコードを、（左余白＝ｏｘ、印刷領域＝ｐｗ−ｍｘ−ｏｘ、右余白＝ｍｘ）として作成する。
【００４９】
ステップＳ９０９
分割処理計算部３５（図２）は、ＨＨ＝ｐｈ−２＊ｏｙであるかどうか調べる。そうであれば（Ｙ）、Ｓ９１０に進む。そうでなければ（Ｎ）、Ｓ９１１に進む。
【００５０】
ステップＳ９１０
分割処理計算部３５（図２）は、Ｙ＝１、ｍｙ＝０として、ステップＳ９１２に進む。
【００５１】
ステップＳ９１１
分割処理計算部３５（図２）は、次の（式Ｂ）をもとに、Ｙおよびｍｙを求める。
ｆ（Ｙ）＝ｐｈ−ｏｙ−（ＨＨ−（ｐｈ−２＊ｏｙ））／（Ｙ−１）…（式Ｂ）
ここで、計算方法は、上式にＹ＝２、３、４、５…と順次値を代入して、ｏｙ以上のｆ（Ｙ）が計算される最小のＹの値を特定し、そのときのｆ（Ｙ）の値をｍｙとする。
【００５２】
ステップＳ９１２
分割処理計算部３５（図２）は、求められたＹ、ｍｙをもとに、行方向分割情報テーブル３６ｂ（図５）を作成する。作成方法は、Ｙ番目のレコードを、（上余白＝ｏｙ、印刷領域＝ｐｈ−２＊ｏｙ、下余白＝ｏｙ）とし、１番目〜Ｙ−１番目のレコードを、（上余白＝ｏｙ、印刷領域＝ｐｈ−ｍｙ−ｏｙ、下余白＝ｍｙ）として作成する。
【００５３】
図１０は、分割印刷データ生成部の動作を説明するフローである。
このフローチャートは、上記図９で求めた列方向分割情報テーブル３６ａ（図５）、及び行方向分割情報テーブル３６ｂ（図５）の値に基づいて分割印刷データ生成部３９（図２）が印刷データを生成し、分割印刷を実行するためにプリンタ１００（図２）へ送出する動作を表している。ステップＳ１００１からステップＳ１０１０までステップ順に分割印刷データ生成部の動作を説明する。
【００５４】
以下の説明では、行および列のカウンタ変数をｘ、ｙとする。また、列方向分割情報テーブル３６ａ（図５）のｘ番目のレコードについて（ｘ＝１、２、３…）、左余白の値をＬｍｇｎ［ｘ］、印刷領域の値をＸｐｒｎ［ｘ］と表記し、行方向分割情報テーブル３６ｂ（図５）のｙ番目のレコードについて（ｙ＝１、２、３…）、上余白の値をＵｍｇｎ［ｙ］、印刷領域の値をＹｐｒｎ［ｙ］と表記する。また、変換画像格納部３８(図２)に格納されている変換画像内の位置を表すｍｍ座標変数を（ＰＸ、ＰＹ）、媒体内の位置を表すｍｍ座標変数を（ｃｘ、ｃｙ）、印刷領域のｍｍ座標サイズを表す変数を（ｄｘ、ｄｙ）、とする。
【００５５】
ステップＳ１００１
分割印刷データ生成部３９（図２）は、列カウンタ変数をｙ＝１、ＰＹ＝０とする。
【００５６】
ステップＳ１００２
分割印刷データ生成部３９（図２）は、行カウンタ変数をｘ＝１、ＰＸ＝０とする。
【００５７】
ステップＳ１００３
分割印刷データ生成部３９（図２）は、列方向分割情報テーブル３６ａ（図５）を参照し、ｃｘ＝Ｌｍｇｎ［ｘ］（図中左余白の値）、ｄｘ＝Ｘｐｒｎ［ｘ］（図中印刷領域の値）とする。また、行方向分割情報テーブルを参照し、ｃｙ＝Ｕｍｇｎ［ｙ］（図中上余白の値）、ｄｙ＝Ｙｐｒｎ［ｙ］（図中印刷領域の値）とする。こうすることによってｙ行ｘ列の媒体についての画像データを特定することが出来る。
【００５８】
ステップＳ１００４
分割印刷データ生成部３９（図２）は、ｙ行ｘ列の媒体について、画像データを読出して分割印刷のための印刷データを生成し、送信部４０（図２）を介してプリンタ１００（図２）へ送出して印刷実行させる。印刷データの生成は、媒体内のｍｍ座標位置（ｃｘ、ｃｙ）に、変換画像内のｍｍ座標位置（ＰＸ、ＰＹ）、（ＰＸ＋ｄｘ、ＰＹ）、（ＰＸ＋ｄｘ、ＰＹ＋ｄｙ）、（ＰＸ、ＰＹ＋ｄｙ）の４点で規定される矩形領域が印刷されるように行う。ｘ≠Ｘである場合は、（ｃｘ＋ｄｘ、ｃｙ）、（ｃｘ＋ｄｘ、ｃｙ＋ｄｙ）、の２点間に糊代領域の境界を示す点線等を描画するようにしてもよい。ｙ≠Ｙである場合は、（ｃｘ、ｃｙ＋ｄｙ）、（ｃｘ＋ｄｘ、ｃｙ＋ｄｙ）の２点間に糊代領域の境界を示す点線等を描画するようにしてもよい。尚、変換画像内または媒体内においてｍｍ座標位置とピクセル座標位置を相互変換するには、前述のスケール値ｓｃＸ、ｓｃＹを用いて行うことができる。
【００５９】
ステップＳ１００５
分割印刷データ生成部３９（図２）は、ＰＸ＝ＰＸ＋Ｘｐｒｎ［ｘ］とする。
【００６０】
ステップＳ１００６
分割印刷データ生成部３９（図２）は、ｘ＝ｘ＋１とする。
【００６１】
ステップＳ１００７
分割印刷データ生成部３９（図２）は、ｘ＞Ｘであれば（Ｙ）、ステップＳ１００８に進む。そうでなければ（Ｎ）、ステップＳ１００３に戻る。
【００６２】
ステップＳ１００８
分割印刷データ生成部３９（図２）は、ＰＹ＝ＰＹ＋Ｙｐｒｎ［ｙ］とする。
【００６３】
ステップＳ１００９
分割印刷データ生成部３９（図２）は、ｙ＝ｙ＋１とする。
【００６４】
ステップＳ１０１０
ｙ＞Ｙであれば（Ｙ）、終了する。そうでなければ（Ｎ）、Ｓ１００２に戻り、ステップＳ１００３からステップＳ１０１０を繰り返し、ｙ＞Ｙであれば（Ｙ）、フローを終了する。
【００６５】
以上は、図２の各機能ブロックのすべてが、情報処理装置３０（図１）側でプリンタドライバ４００（図２）として動作する場合の形態であるが、他の実施形態であってもよい。例えば、送信部４０（図２）を除くすべての機能ブロックをプリンタ１００（図１）側で実行させる形態が考えられる。または、画像入力部３１（図２）、印刷出力サイズ指定部３２（図２）、印刷媒体サイズ指定部３３（図２）は情報処理装置３０（図１）側で実行し、指定されたパラメータおよび入力画像をプリンタ１００（図１）に送信して、送信部４０（図２）以外の残りの機能ブロックをプリンタ１００（図１）側で実行する形態も考えられる。
【００６６】
〈効果〉の説明
以上説明したように、実施例１の印刷制御装置（図１の情報処理装置３０が該当）では、印刷する入力画像、印刷媒体のサイズ、印刷出力サイズ、を指定することにより、最終的な印刷出力サイズを指定してのポスター印刷が自動的に実行できるという効果を得る。また各用紙にサイズが最適な画像データが印刷出力されるという効果を得る。
【実施例２】
【００６７】
〈構成〉の説明
図１１は、実施例２のプリンタドライバの機能概要説明図である。
本実施例では分割処理計算部３５により分割情報を自動計算した結果、（ａ）に示すように、最大の分割幅と最小の分割幅との差が極端に大きくなる状態が発生する場合を想定している。係る場合に、その内容をユーザに提示し、分割情報の補正を行う指示が出された場合には、分割情報補正部４３は、（ｂ）の点線で示すように、各媒体の分割幅が均等になるよう補正を行うことを目的とする。係る目的を達成するために実施例２のプリンタドライバは以下のように構成される。
【００６８】
図１２は、実施例２のプリンタドライバの機能ブロック図である。
図に示すように、実施例２のプリンタドライバ５００は、図示しないハードディスク装置内に格納されたプログラムが読み出されて図示しないＣＰＵで実行されることにより起動・生成（実現）される、画像入力部３１と、印刷出力サイズ指定部３２と、印刷媒体サイズ指定部３３と、分割処理計算部３５と、画像変換部３７と、送信部４０と、分割情報報知部４１と、補正指示入力部４２と、分割情報補正部４３と、分割印刷データ生成部４４と、図示しない主記憶装置に設けられているパラメータ格納部３４と、分割情報格納部３６と、変換画像格納部３８とで構成される。以下に実施例１と相違する部分のみについて詳細に説明する。実施例１と同様の部分については、実施例１と同一の符号を付して説明を省略する。
【００６９】
分割情報報知部４１は、分割情報格納部３６に格納されている分割情報を、ユーザに報知する部分である。補正指示入力部４２は、分割情報格納部３６に格納されている分割情報の補正を行うかどうかの指示を入力する部分である。分割情報補正部４３は、分割情報格納部３６に格納されている分割情報の補正を行う部分である。
【００７０】
分割印刷データ生成部４４は、分割情報格納部３６に格納されている分割情報に従って、変換画像格納部３８に格納されている画像を分割印刷するための印刷データを生成する部分であり、実施例１の分割印刷データ生成部３９とはその動作が異なる。その動作の相違点については動作の項で説明する。他の部分は実施例１と同様なので説明を省略する。
【００７１】
〈動作〉の説明
以上説明した実施例２の印刷制御装置は以下のように動作する。
図１３は、実施例２のプリンタドライバの動作を説明するフローチャートである。
図１４は、補正指示画面の説明図である。
図１３のステップＳ１５０１からステップＳ１５０９までステップ順にプリンタドライバ５００の全体動作について説明する。その説明の中で図１４を引用する。
【００７２】
ステップＳ１５０１
画像入力部３１（図１２）は、分割印刷を行う画像を入力する。
【００７３】
ステップＳ１５０２
印刷出力サイズ指定部３２（図１２）により、印刷出力サイズを指定する。これにより、パラメータ格納部３４（図１２）の印刷出力サイズ格納エリア３４（ｃ）（図４）に、幅ＷＷ、高さＨＨが格納される。
【００７４】
ステップＳ１５０３
印刷媒体サイズ指定部３３（図１２）により、媒体のサイズを指定する。これにより、パラメータ格納部３４（図１２）の印刷媒体サイズ格納エリア３４（ｂ）（図４）に、幅ｐｗ、高さｐｈが格納される。
【００７５】
ステップＳ１５０４
分割処理計算部３５（図１２）により、分割印刷を行うための分割情報を計算する。計算された分割情報は、分割情報格納部３６（図１２）に格納される。このフローは実施例１における図９と同様である。
【００７６】
ステップＳ１５０５
分割情報報知部４１（図１２）により、分割情報格納部３６に格納されている分割情報が報知される。
【００７７】
ステップＳ１５０６
補正指示入力部４２（図１２）により、分割情報を補正するかどうかの指示を入力する。補正を行うと指示された場合は（Ｙ）、ステップＳ１５０７に進む。補正を行わないと指示された場合は（Ｎ）、ステップＳ１５０８に進む。
【００７８】
ここで分割情報報知部４１及び補正指示入力部４２の一例について説明する。
図１４に示すようなＵＩ画面を表示して、分割情報をユーザに報知すると共に、分割情報の補正を行うかどうかをユーザに指定させる。１６１，１６２には、Ｓ１５０３で指定された印刷媒体サイズが表示され、１６３，１６４には、Ｓ１５０２で指定された印刷出力サイズが表示されている。サブウィンドウ１６５に、分割情報が表示されている。分割情報の補正を行ったうえで印刷を実行するには、１６６をチェックして、１６７をクリックする。分割情報の補正を行わずに印刷を実行するには、１６６のチェックを外して、１６７をクリックする。印刷を中止するには、１６８をクリックする。
【００７９】
ステップＳ１５０７
分割情報補正部４３（図１２）により、分割情報格納部３６に格納されている分割情報が補正される。このフローについては、別のフローチャートを用いて、後に再度詳細に説明する。
【００８０】
ステップＳ１５０８
画像変換部３７（図１２）により、入力画像をスケール（拡大・縮小）する。スケールされた画像は、変換画像格納部３８（図１２）に格納される。
【００８１】
ステップＳ１５０９
分割印刷データ生成部３９は、分割印刷データを生成してフローを終了する。
【００８２】
図１５は、分割情報補正部の動作を説明するフローチャートである。
図のステップＳ１７０１からステップＳ１７１２までステップ順に分割情報補正部４３（図１２）の動作について説明する。尚、この動作は、上記図１３のステップＳ１５０７に該当し、図１１（ａ）に示す状態を図１１（ｂ）に示す状態に補正するフローチャートである。
【００８３】
ここでは動作説明の前提として、行及び列のカウンタ変数をｘ、ｙとする。また、列方向分割情報テーブル３６ａ（図５）のｘ番目のレコードについて（ｘ＝１，２，３．．．）、印刷領域の値をＸｐｒｎ［ｘ］、右余白の値をＲｍｇｎ［ｘ］と表記し、行方向分割情報テーブル３６ｂ（図５）のｙ番目のレコードについて（ｙ＝１，２，３．．．）、印刷領域の値をＹｐｒｎ［ｙ］、下余白の値をＢｍｇｎ［ｙ］と表記する。以下にステップＳ１７０１からステップＳ１７１２までステップ順に説明する。
【００８４】
ステップＳ１７０１
分割情報補正部４３（図１２）は、Ｘｐｒｎ［１］とＸｐｒｎ［Ｘ］とを比較し、値が異なるかどうかを判定する。値が同じである場合は、行方向は均等に分割されており補正の必要はないので、ステップＳ１７０７に進む。値が異なる場合は、ステップＳ１７０２に進み、行方向の分割幅の補正処理に移る。
【００８５】
ステップＳ１７０２
分割情報補正部４３（図１２）は、列のカウンタ変数ｘ＝１とする。また、ＤＸ＝（Ｘｐｒｎ［Ｘ］−Ｘｐｒｎ［１］）／Ｘとする（図１１（ｂ））。（以下のループで、行方向の１，２，３．．．Ｘ−１番目の分割幅をＤＸ増やす処理を行う）
【００８６】
ステップＳ１７０３
分割情報補正部４３（図１２）は、Ｘｐｒｎ［ｘ］＝Ｘｐｒｎ［ｘ］＋ＤＸとし、Ｒｍｇｎ［ｘ］＝Ｒｍｇｎ［ｘ］−ＤＸとする。これは、列方向のｘ番目の分割幅をＤＸ増やすための計算である。
【００８７】
ステップＳ１７０４
分割情報補正部４３（図１２）は、列のカウンタ変数ｘを１増やす。
【００８８】
ステップＳ１７０５
分割情報補正部４３（図１２）は、ｘ＞Ｘ−１であれば、ステップＳ１７０６へ進む。そうでなければ、ステップＳＳ１７０３に戻る。
【００８９】
ステップＳ１７０６
分割情報補正部４３（図１２）は、Ｘｐｒｎ［Ｘ］＝Ｘｐｒｎ［Ｘ］−ＤＸ×（Ｘ−１）とし、Ｒｍｇｎ［Ｘ］＝Ｒｍｇｎ［Ｘ］＋ＤＸ×（Ｘ−１）とする。これは、列方向のＸ番目の分割幅（列方向の最後の分割幅）をＤＸ減らすための計算である。
【００９０】
ステップＳ１７０７
分割情報補正部４３（図１２）は、Ｙｐｒｎ［１］とＹｐｒｎ［Ｙ］を比較し、値が異なるかどうかを判定する。値が同じである場合は、行方向は均等に分割されているので補正の必要はなく、フローを終了する。値が異なる場合は、ステップＳＳ１７０８に進み、行方向の分割幅の補正処理に移る。
【００９１】
ステップＳ１７０８
分割情報補正部４３（図１２）は、行のカウンタ変数ｙ＝１とする。また、ＤＹ＝（Ｙｐｒｎ［Ｙ］−Ｙｐｒｎ［１］）／Ｙとする。（以下のループで、行方向の１，２，３．．．Ｙ−１番目の分割幅をＤＹ増やす処理を行う）
【００９２】
ステップＳ１７０９
分割情報補正部４３（図１２）は、Ｙｐｒｎ［ｙ］＝Ｙｐｒｎ［ｙ］＋ＤＹとし、Ｂｍｇｎ［ｙ］＝Ｂｍｇｎ［ｙ］−ＤＹとする。これは行方向のｙ番目の分割幅をＤＹ増やすための計算である。
【００９３】
ステップＳ１７１０
分割情報補正部４３（図１２）は、行のカウンタ変数ｙを１増やす。
【００９４】
ステップＳ１７１１
分割情報補正部４３（図１２）は、ｙ＞Ｙ−１であれば、ステップＳ１７１２へ進む。そうでなければ、ステップＳ１７０９に戻る。
【００９５】
ステップＳ１７１２
分割情報補正部４３（図１２）は、Ｙｐｒｎ［Ｙ］＝Ｙｐｒｎ［Ｙ］−ＤＹ×（Ｙ−１）、Ｂｍｇｎ［Ｙ］＝Ｂｍｇｎ［Ｙ］＋ＤＹ×（Ｙ−１）としてフローを終了する。これは行方向のＹ番目の分割幅（行方向の最後の分割幅）をＤＹ減らすための計算である。
【００９６】
分割印刷データ生成部４４の処理は、図１０の動作フローＳ１００４で行う処理内容が、実施例１の分割印刷データ生成部３９と異なる。ステップＳ１００４ではｙ行ｘ列の媒体について、分割印刷のための印刷データを生成する。印刷データの生成は、媒体内のｍｍ座標位置（ｃｘ，ｃｙ）に、変換画像内のｍｍ座標位置（ＰＸ，ＰＹ）、（ＰＸ＋ｄｘ，ＰＹ）、（ＰＸ＋ｄｘ，ＰＹ＋ｄｙ）、（ＰＸ，ＰＹ＋ｄｙ）の４点で規定される矩形領域が印刷されるように行う。ｘ≠Ｘである場合は、（ｃｘ＋ｄｘ，ｃｙ）、（ｃｘ＋ｄｘ，ｃｙ＋ｄｙ）の２点間に糊代領域の境界を示す点線などを描画するようにしてもよい。ｙ≠Ｙである場合は、（ｃｘ，ｃｙ＋ｄｙ）、（ｃｘ＋ｄｘ、ｃｙ＋ｄｙ）の２点間に糊代領域の境界を示す点線などを描画するようにしても良い。ｘ＝Ｘである場合は、（ｃｘ＋ｄｘ，ｃｙ）、（ｃｘ＋ｄｘ，ｃｙ＋ｄｙ）の２点間に、切り取り線であることを示す点線などを描画する。ｙ＝Ｙである場合は、（ｃｘ，ｃｙ＋ｄｙ）、（ｃｘ＋ｄｘ，ｃｙ＋ｄｙ）の２点間に切り取り線であることを示す点線などを描画する。尚、変換画像内または媒体内においてｍｍ座標位置とピクセル座標位置を相互変換するには、前述のスケール値ｓｃＸ，ｓｃＹを用いて行うことができる。
【００９７】
〈効果〉の説明
以上説明したように、実施例２の印刷制御装置では、印刷する入力画像、印刷媒体のサイズ、印刷出力サイズ、を指定して自動計算した分割情報をユーザに提示し、分割幅の補正を行うよう指示が出された場合は、分割幅が均等になるように自動補正を行って、自動補正後の分割情報に従ってポスター印刷を実行する。簡単な指定を行うだけで、実施例１よりもさらにユーザの意向を反映したポスター印刷結果を得ることができるという効果を得る。
【実施例３】
【００９８】
本実施例では、入力画像のサイズを印刷出力サイズ（ＷＷ，ＨＨの値）へ拡大することによって印刷出力画像が不明瞭になる場合を想定している。係る場合を排除するために本実施例では、イメージの１ドットが印刷される出力画像における領域サイズを求め、この拡大率が、予め定めてある閾値よりも大きいときは、印刷出力画像が不明瞭になるかもしれないことをユーザに報知し、印刷可否の判断を受け入れることとする。係る目的を達成するために、実施例３のプリンタドライバは以下のように構成される。
【００９９】
図１６は、実施例３のプリンタドライバの機能ブロック図である。
図に示すように、実施例３のプリンタドライバ６００は、図示しないハードディスク装置内に格納されたプログラムが読み出されて図示しないＣＰＵで実行されることにより起動・生成（実現）される、画像入力部３１と、印刷出力サイズ指定部３２と、印刷媒体サイズ指定部３３と、分割処理計算部３５と、分割印刷データ生成部３９と、送信部４０と、イメージ情報抽出部４５と、イメージ品質判定部４６と、報知部４７と、指示入力部４８と、画像変換部５０と、図示しない主記憶装置に設けられているパラメータ格納部３４と、分割情報格納部３６と、変換画像格納部３８とで構成される。以下に実施例１と相違する部分のみについて詳細に説明する。実施例１と同様の部分については、実施例１と同一の符号を付して説明を省略する。
【０１００】
イメージ情報抽出部４５は、画像入力部３１から入力された入力画像のデータの中身を参照して、データ中に含まれるイメージに関する情報を取得する部分である。
【０１０１】
イメージ品質判定部４６は、イメージ情報抽出部４５が抽出したイメージ情報、パラメータ格納部３４に格納されている印刷出力サイズへの拡大縮小倍率をもとに、入力画像に含まれる各イメージについて、画像変換部５０による変換画像における印刷品質に問題がないかどうかを調べる部分である。
【０１０２】
報知部４７は、イメージ品質判定部４６の判定の結果、印刷品質に問題があるイメージが存在すれば、その旨ユーザに報知する部分である。指示入力部４８は、印刷を行うかどうかの指示入力を行う部分である。
【０１０３】
画像変換部５０は、イメージ品質判定部４６の判定の結果に問題がないか、または、指示入力部４８により印刷実行が指示された場合に、入力画像を拡大変換または縮小変換する処理を行う。変換処理の方法は、実施例１の画像変換部３７と同じである。
【０１０４】
以上説明した実施例１と異なる部分の機能について詳細に説明する。
図１７は、イメージ情報の説明図である。
図中、入力画像１９１中に、１９２、１９３、１９４の３つのイメージが含まれているとすると、イメージ情報抽出部４５（図１６）は、それらの各イメージについて、画像のドットサイズ、及び入力画像中における表示領域の大きさを格納するテーブル１９５を作成する。
【０１０５】
イメージ品質判定部４６の処理について説明する。イメージ品質判定部４６は、イメージ情報抽出部４５によって抽出されたイメージ情報を参照し、各イメージについて次のように判定を行う。パラメータ格納部３４に格納されている印刷出力サイズ（ＷＷ，ＨＨの値）と、入力画像のサイズとから求められる幅方向及び高さ方向の拡大縮小率をｓｃＷ，ｓｃＨとし、イメージのドット幅及びドット高さをｉＷ、ｉＨとし、入力画像中でのイメージ表示領域サイズ（ｍｍ）をｉｗ，ｉｈとすると、次の計算によりｒｗ，ｒｈを求める。
ｒｗ＝（ｉｗ＊ｓｃＷ）／ｉＷ
ｒｈ＝（ｉｈ＊ｓｃＨ）／ｉＨ
【０１０６】
（ｒｗ，ｒｈ）は、イメージの１ドットが印刷される出力画像における領域サイズを表す。このようにして求められるｒｗ，ｒｈを、予め定められている閾値ｒｗＴ，ｒｈＴとそれぞれ比較して、ｒｗ＞ｒｗＴまたはｒｈ＞ｒｈＴのいずれかが成り立っていれば、出力画像におけるイメージの印刷品質に問題有りと判定する。以上の判定を、入力画像から抽出された各イメージについて行う。
【０１０７】
図１８は、指示入力部の説明図である。
指示入力部４８は、図に示すようにＵＩ画面を表示して、印刷品質に問題があると判定されたイメージが存在することをユーザに報知すると共に、印刷を実行するかどうかをユーザに指定させる。
【０１０８】
〈動作〉の説明
以下に実施例１の印刷制御装置の動作についてフローチャートを用いて説明する。
図１９は、実施例３のプリンタドライバの動作を説明するフローチャートである。
図のステップＳ２１０１からステップＳ２１１１までステップ順にプリンタドライバ６００の全体動作について説明する。
【０１０９】
ステップＳ２１０１
画像入力部３１（図１６）は、分割印刷を行う画像を入力する。
【０１１０】
ステップＳ２１０２
イメージ情報抽出部４５（図１６）は、入力画像からイメージ情報を抽出する。
ステップＳ２１０３
印刷出力サイズ指定部３２（図１６）により、印刷出力サイズを指定する。これにより、パラメータ格納部３４（図１６）の印刷出力サイズ格納エリア３４（ｃ）（図４）に、幅ＷＷ、高さＨＨが格納される。
【０１１１】
ステップＳ２１０４
印刷媒体サイズ指定部３３（図１６）により、媒体のサイズを指定する。これにより、パラメータ格納部３４（図１６）の印刷媒体サイズ格納エリア３４（ｂ）（図４）に、幅ｐｗ、高さｐｈが格納される。
【０１１２】
ステップＳ２１０５
分割処理計算部３５（図１６）により、分割印刷を行うための分割情報を計算する。計算された分割情報は、分割情報格納部３６（図１６）に格納される。このフローは実施例１における図９と同様である。
【０１１３】
ステップＳ２１０６
イメージ品質判定部４６（図１６）は、判定処理を行う。
【０１１４】
ステップＳ２１０７
イメージ品質判定部４６（図１６）の判定の結果、出力画像での印刷品質に問題があると判定されたイメージがある場合は（Ｙ）、ステップＳ２１０８へ進む。そうでなければ（Ｎ）、ステップＳ２１１０へ進む。
【０１１５】
ステップＳ２１０８
報知部４７（図１６）は、印刷品質に問題があると判定されたイメージがあることをユーザに報知する。
【０１１６】
ステップＳ２１０９
報知部４７（図１６）により、印刷実行が指示された場合は（Ｙ）、ステップＳ２１１０へ進む。印刷中止が指示された場合は（Ｎ）、フローを終了する。
【０１１７】
ステップＳ２１１０
画像変換部５０（図１６）により、入力画像をスケール（拡大・縮小）する。スケールされた画像は、変換画像格納部３８（図１６）に格納される。
【０１１８】
ステップＳ２１１１
分割印刷データ生成部３９（図１６）は、分割印刷データを生成し、送信部４０（図１６）を介してプリンタ１００へ送出してフローを終了する。
【０１１９】
〈効果〉の説明
以上のように、実施例３の印刷制御装置では、印刷する入力画像、印刷媒体のサイズ、印刷出力のサイズ、の指定により、印刷出力サイズを指定したポスター印刷が簡単に行えるのに加えて、過剰な拡大によるイメージの印刷品質低下を自動判定し、印刷品質低下が検出された場合はその旨ユーザに報知して、印刷実行か中止かを選択できるようにした。実施例１よりもさらにユーザの意向を反映したポスター印刷結果を得ることができるという効果を得る。
【産業上の利用可能性】
【０１２０】
上記実施例中で説明した分割印刷は、隣り合う媒体同士の右側及び下側を上に重ねるように貼り合わせる場合で説明したが、これに限るものではない。
【図面の簡単な説明】
【０１２１】
【図１】実施例１の印刷制御装置の構成のブロック図である。
【図２】実施例１のプリンタドライバの機能ブロック図である。
【図３】パラメータ入力画面の説明図である。
【図４】パラメータ格納部の説明図である。
【図５】分割情報格納部の説明図である。
【図６】分割情報の説明図（その１）である。
【図７】分割情報の説明図（その２）である。
【図８】実施例１のプリンタドライバの動作を説明するフローチャートである。
【図９】実施例１の分割処理計算部の動作を説明するフローチャートである。
【図１０】分割印刷データ生成部の動作を説明するフローである。
【図１１】実施例２のプリンタドライバの機能概要説明図である。
【図１２】実施例２のプリンタドライバの機能ブロック図である。
【図１３】実施例２のプリンタドライバの動作を説明するフローチャートである。
【図１４】補正指示画面の説明図である。
【図１５】分割情報補正部の動作を説明するフローチャートである。
【図１６】実施例３のプリンタドライバの機能ブロック図である。
【図１７】イメージ情報の説明図である。
【図１８】指示入力部の説明図である。
【図１９】実施例３のプリンタドライバの動作を説明するフローチャートである。
【符号の説明】
【０１２２】
３０    情報処理装置
３１    画像入力部
３２    印刷出力サイズ指定部
３３    印刷媒体サイズ指定部
３４    パラメータ格納部
３５    分割処理計算部
３６    分割情報格納部
３７    画像変換部
３８    変換画像格納部
３９    分割印刷データ生成部
４０    送信部
１００    プリンタ
３０１    ＣＰＵ
３０２    主記憶装置
３０３    ハードディスク装置
３０４    入力装置Ｉ／Ｆ
３０４ａ    マウス
３０４ｂ    キーボード
３０５    ディスプレイＩ／Ｆ
３０５ａ    ディスプレイ
３０６    プリンタＩ／Ｆ
３０７    共通バス
【図１】
2008210046.tif 000003
【図２】
2008210046.tif 000004
【図３】
2008210046.tif 000005
【図４】
2008210046.tif 000006
【図５】
2008210046.tif 000007
【図６】
2008210046.tif 000008
【図７】
2008210046.tif 000009
【図８】
2008210046.tif 000010
【図９】
2008210046.tif 000011
【図１０】
2008210046.tif 000012
【図１１】
2008210046.tif 000013
【図１２】
2008210046.tif 000014
【図１３】
2008210046.tif 000015
【図１４】
2008210046.tif 000016
【図１５】
2008210046.tif 000017
【図１６】
2008210046.tif 000018
【図１７】
2008210046.tif 000019
【図１８】
2008210046.tif 000020
【図１９】
2008210046.tif 000021